(57)【要約】      （修正有）【課題】遠方等から見やすい適正な所に前灯本体、尾灯本体を取り付けＬＥＤ点灯又は、色彩発光点滅を表示し人間の視覚における残像の為に他者との事故防止安全安心で自転車用前灯尾灯安全表示灯装置を提供する。【解決手段】ＬＥＤ１２〜１４と点滅回路とを接続され前記ＬＥＤ点灯点滅を直流電源供給により前灯尾灯を備え、前記ＬＥＤと点滅回路とコイルバネ７と直流電源に接続される１個の端子とを備え、前記コイルバネは自転車ブレーキワイヤに固定され、前記自転車ブレーキワイヤがブレーキ作動位置の途中、前記端子と接触して直流電源と前記ＬＥＤとを前記点滅回路を介して接触させる回路から成る。【選択図】図１
0003175794.tif 000002
【実用新案登録請求の範囲】
【請求項１】
ＬＥＤと点滅回路とに接続され前記ＬＥＤを点灯点滅させる直流電源を備えた前灯尾灯と、前記ＬＥＤと前記点滅回路とコイルバネと前記直流電源に接続される１個の端子とを備え、前記コイルバネは自転車ブレーキワイヤに固定され、前記自転車ブレーキワイヤがブレーキ作動位置の途中、前記端子と接触して前記直流電源と前記ＬＥＤとを前記点滅回路を介して接触させる回路を備えたことを特徴とする自転車用前灯尾灯安全表示灯装置。
【考案の詳細な説明】
【技術分野】
【０００１】  本考案は自転車に関する自転車用前灯尾灯安全表示灯装置に関わるものである。
【背景技術】
【０００２】  従来の自転車用安全表示灯装置は尾灯だけを取り付けの為に不便である。
【先行技術文献】
【特許文献】
【０００３】
【特許文献１】実用新案登録第３１６９６３６号
【考案の概要】
【考案が解決しようとする課題】
【０００４】  しかし、これでは自転車用安全表示灯は運転者から前方を見にくいのと前方の他者からも見にくい為に不便を生じるのである。
【課題を解決するための手段】
【０００５】  ＬＥＤと点滅回路とに接続され前記ＬＥＤを点灯点滅させる直流電源を備えた前灯尾灯と、前記ＬＥＤと前記点滅回路とコイルバネと前記直流電源に接続される１個の端子とを備え、前記コイルバネは自転車ブレーキワイヤに固定され、前記自転車ブレーキワイヤがブレーキ作動位置の途中、前記端子と接触して前記直流電源と前記ＬＥＤとを前記点滅回路を介して接触させる回路を備えた自転車用前灯尾灯安全表示灯装置。
【考案の効果】
【０００６】  自転車用前灯尾灯安全表示灯装置はスイッチ投入の状態で制御手段で前灯のＬＥＤ点灯と成ると同時に尾灯のＬＥＤ色彩発光点滅と成る。又、ブレーキワイヤ操作位置に尾灯のＬＥＤ点灯と成る又、遠方等から見やすい適正な所に前灯本体１，尾灯本体１ａを取り付けＬＥＤ色彩発光点滅を表示し人間の視覚における残像の為に他者との事故防止に成るので安全安心である。
【図面の簡単な説明】
【０００７】
【図１】  本考案に係わる本体１に構成したＬＥＤ、配線、乾電池等の側面図である。
【図２】  本考案に係わる本体１ａに構成したＬＥＤ、配線、乾電池の側面図である。
【図３】  本考案に係わる本体１、本体１ａ、ＬＥＤ、操作筒３２等の配線図である。
【図４】  本考案に係わる操作筒３２内の端子部、コイルバネ、ブレーキワイヤ、蓋の取り付け雌ネジ等の斜視図である。
【図５】  本考案に係わる（ａ）、蓋と防水ゴム，蓋の取付ビス，の平面図、（ｂ）操作筒、入れ口防水材，ブレーキワイヤ等の側面図である。
【図６】  本考案に係わる自転車管４３に操作筒３２とブレーキワイヤを取り付けた斜視図である。
【図７】  本考案に係わる本体１、本体１ａ、操作筒３２を自転車に取り付けた斜視図である。
【考案を実施するための形態】
【０００８】  本考案に関わる自転車用前灯尾灯安全表示灯装置は図１，２，３，４，５，６，７に示すように本体１にＬＥＤ１２，１３，１４と乾電池１９を設け又、本体１ａにＬＥＤ１２ａ，１３ａと乾電池２１を設け前記ＬＥＤを光源とし、その電源供給は乾電池１９，乾電池２１より通電構成し、自転車ブレーキワイヤ４０正常の状態でスイッチ２６投入で本体１の前灯ＬＥＤ１２，１３，１４点灯と本体１ａの尾灯ＬＥＤ１３ａ色彩発光点滅を設けた。
【０００９】  ブレーキワイヤ４０操作を行うとブレーキワイヤ４０が矢印４１の方向にコイルバネ３５と端子３８ａが移動し端子３８と接触し接地線３１を通電し尾灯ＬＥＤ１２ａ点灯と成る。
【００１０】  本体１、本体１ａ、操作筒３２の配線口３９ｃ，３９ｄ，３９ｅは防水材を設け雨天時の使用に際しても雨水付着することがないがブレーキワイヤ４０が激しく使用の為に操作筒３２の下端に水抜き３９ｆ，３９ｇを設けた。
【００１１】  本体１のＬＥＤの支持板９の裏側に接地側の接触輪１６と乾電池１９の正極端子２０の接触点２０ａを設け又、本体１に溝３０を設けその溝３０に板状線２４ｂを設け接地線２４と接触と成る又、照明用カバー１１を回しながら取り付けすると乾電池１９の正極端子２０が接触点２０ａに接触し同時に板状線２４ｂと接地側の接触輪１６も接触と成る。
【００１２】  本体１はハンドル４６付近に取り付け又操作筒３２の取り付けはブレーキ５０付近に取り付けと本体１ａを自転車の後方の遠方から見やすい適正な所の泥除けカバー５３に取り付けた。
【符号の説明】
【００１３】    １  本体        １ａ  本体        ２  防水輪ゴム        ２ａ  防水輪ゴム
２ｂ  防水輪ゴム    ３  雄ネジ    ３ａ  雄ネジ              ４  雌ネジ
４ａ  雌ネジ        ５  コイルバネ支持板止        ５ａ  ＬＥＤ支持板止
６  コイルバネ支持板    ６ａ  コイルバネ支持板        ７  コイルバネ
７ａ  コイルバネ    ８  ＬＥＤ支持板止      ９  ＬＥＤ支持板
９ａ  ＬＥＤ支持板        １０  反射板                １１  照明カバー
１１ａ  照明用カバー    １２  ＬＥＤ    １３  ＬＥＤ    １４  ＬＥＤ
１２ａ  ＬＥＤ        １３ａ  ＬＥＤ    １５  乾電池取り出し口
１５ａ  乾電池取り出し口    １６  接地側の接触輪      １８  本体固定部
１９  乾電池    ２０  正極端子    ２０ａ  接触点    ２１  乾電池
２３  共通接地線    ２４  接地線    ２４ｂ  板状線    ２５  電線挿入口
２６  スイッチ      ２７  取り付け金具                ２８  取り付けビス
２８ａ  取り付けビス    ２９  取り付けビス    ２９ａ  取り付けビス
３０  板状線溝    ３１  接地線    ３２  操作筒    ３３  蓋取付雌ネジ
３３ａ  蓋取付雌ネジ    ３３ｂ  蓋取付雌ネジ    ３３ｃ  蓋取付雌ネジ
３３ｄ  蓋取付ビス  ３３ｅ  蓋取付ビス    ３３ｆ  蓋取付ビス
３３ｇ  蓋取付ビス    ３４  蓋    ３４ａ  防水ゴム    ３５  コイルバネ
３６  絶縁管    ３７  絶縁材ブレーキワイヤ４０に固定
３７ａ  取付ビス    ３７ｂ  取付ビス      ３８  端子    ３８ａ  端子
３８ｂ  端子３８と操作筒３２固定ビス    ３８ｃ  端子３８と操作筒３２固定ビス
３９  入れ口防水材    ３９ａ  入れ口防水材    ３９ｂ  入れ口防水材
３９ｃ  入れ口防水材    ３９ｄ  入れ口防水材    ３９ｅ  入れ口防水材
３９ｆ  水抜き          ３９ｇ  水抜              ４０  ブレーキワイヤ
４１  矢印              ４２  電線挿入口      ４２ａ  電線挿入口
４３  自転車管          ４４  取付金具          ４５  取付ビス
４５ａ  取付ビス          ４６  ハンドル          ４７  サドル
４８  ブレーキレバー    ４９  シートステイ      ５０  ブレーキ
５１  泥除けカバー支持棒    ５２  トップチューブ      ５３  泥除けカバー
５４  チェーンリング        ５５  ペタル              ５６  泥除け支持棒
５７  車軸            ５８  泥除けカバー支持棒  ５９  チェーンステイ
６０  車輪            ６１  スポーク            ６２  スポーク
６３  スポーク
【図１】
0003175794.tif 000003
【図２】
0003175794.tif 000004
【図３】
0003175794.tif 000005
【図４】
0003175794.tif 000006
【図５】
0003175794.tif 000007
【図６】
0003175794.tif 000008
【図７】
0003175794.tif 000009